(57)【要約】  【課題】安価で施工性に優れ，天井の厚さの相違に無段階に対応できる吊り金具を提供する。  【解決手段】天井点検口の外枠１を取付部材４から吊持させる吊り金具１０は，全体的に金属板等の弾性部材による一体物として構成されて，第１折曲部α１を境として，ほぼ縦方向に伸びる一方側脚部１１とほぼ横方向に伸びる他方側脚部１２とに画成される。一方側脚部１１の先端部に，外枠１に形成されている溝部１ｂに係合されるフック部１４が形成され，他方側脚部１２の先端部に，取付部材４の上面に当接される当接部１７が形成される。一方側脚部１１には，外枠１の所定平坦面に対して着座される着座面部１３，第２折曲部α２，取付部材４に対して上方から当接可能な落下防止辺部１６，引っ張り片部１３ａを形成することができる。【選択図】  図５
2006283315.tif 000002
【特許請求の範囲】
【請求項１】
物品を，天井裏面側に配設された取付部材から吊持させて天井に固定するための吊り金具において，
全体的に弾性部材による一体物として構成されて，その長手方向略中間部において折曲された第１折曲部を境として，ほぼ縦方向に伸びる一方側脚部とほぼ横方向に伸びる他方側脚部とに画成されており，
前記一方側脚部の先端部に，前記物品に形成されている溝部に係合されるフック部が形成されており，
前記他方側脚部の先端部に，前記取付部材の上面に当接される当接部が形成されている，
ことを特徴とする吊り金具。
【請求項２】
請求項１において，
前記一方側脚部の先端部に，左右幅が該一方側脚部の左右幅よりも大きくされて，前記物品のうち前記溝部近傍にある所定平坦面に対して着座される着座面部が形成され，
前記フック部が，前記着座面部の左右上端部から上方に向けて突出形成されて，前記一方側脚部を挟むように左右一対形成されている，
ことを特徴とする吊り金具。
【請求項３】
請求項１または請求項２において，
前記一方側脚部には，前記第１折曲部よりも小さい曲げ角度でもって該第１折曲部と同一方向に折曲された第２折曲部が形成されている，ことを特徴とする吊り金具。
【請求項４】
請求項１ないし請求項３のいずれか１項において，
前記一方側脚部の側縁部に，前記第１折曲部の付近でかつ前記他方側脚部の伸びる方向に向けて伸びて，前記当接部が前記取付部材の上面に当接した状態で該第１折曲部が該取付部材に対して相対的に下方へ大きく変位されたときに該取付部材に対して上方から当接される落下防止辺部が形成されている，ことを特徴とする吊り金具。
【請求項５】
請求項４において，
前記落下防止辺部の下縁部には，前記取付部材における上方へ伸びる縦壁部に対して係合可能とされて，該縦壁部の厚さよりも大きい開口幅とされた係合用切欠部が形成されている，ことを特徴とする吊り金具。
【請求項６】
請求項１ないし請求項５のいずれか１項において，
前記一方側脚部の先端部には，前記フック部よりも低い位置において，ほぼ横方向に伸びて手指が引っ掛けられる引っ張り片部が形成されている，
ことを特徴とする吊り金具。
【請求項７】
請求項１ないし請求項６のいずれか１項において，
前記他方側脚部の先端部に，ほぼ下方に向けて折曲させることによる第１延長部と，該第１延長部の先端部をほぼ前記一方側脚部側に向かうように折曲さることによる第２延長部とが形成され，
前記第１延長部と第２延長部との境界部位となる折曲部分が，線状に伸びるように設定された前記当接部とされている，
ことを特徴とする吊り金具。
【請求項８】
請求項１ないし請求項７のいずれか１項において，
前記一方側脚部と他方側脚部とが前記第１折曲部においてなす角度が鋭角とされて，該他方側脚部が該第１折曲部から離れるにしたがって徐々に下方に向かうように傾斜されている，ことを特徴とする吊り金具。
【発明の詳細な説明】
【技術分野】
【０００１】
本発明は吊り金具に関するものである。
【背景技術】
【０００２】
吊り金具を用いて物品を天井に吊持することが行われている。例えば，物品としての天井点検口にあっては，方形とされて天井に吊持，固定される外枠と，外枠に保持された開閉式の内蓋とを有している。外枠の天井への固定は，天井の裏面側（上方）に配設されている取付部材に対して，吊り金具によって外枠を吊持することによって行われるのが一般的である。
【０００３】
取付部材と天井下面との高さ位置関係（上下方向の距離）は，天井の厚さの相違に応じて種々変更されることが多い。このため，吊り金具としては，この天井の厚さの相違に対応できるようにすることが要求されることになる。天井の厚さの相違に対応した吊持高さの調整機能を有する吊り金具としては，例えば特許文献１〜特許文献３に示すようなものがある。すなわち，特許文献１に開示のものでは，天井点検口の外枠に対して，上下方向に伸びると共に上下方向に伸びるスライド孔を有する第１部材を固定する一方，第２部材を取付部材に固定して，この第１部材と第２部材とを，上記スライド孔に挿入された取付ねじでもって締結することにより行われるようになっている。この特許文献１に記載のものでは，第１部材と第２部材と取付ねじという３つの部材を必要として，コスト的にかなり高価となり，しかも天井の厚さを考慮しつつスライド孔に対する取付ねじの高さ位置というものを微妙に調整しつつその取付ねじの締結を行うので，施工性も悪いものとなっていた。とりわけ，内蓋と外枠とを加えた天井点検口はかなりの重量物となる一方，外枠の天井への固定に際しては作業者はかなり無理な姿勢を強いられることから，内蓋を取外した状態でもってまず外枠のみを天井に吊持，固定した後，外枠に対してあらためて内蓋を取付けることにならざるを得ず，施工に多大の時間を要することになっていた。
【０００４】
また，特許文献２には，天井点検口の外枠に固定される第１部材にひねり操作されるつかみ片部を形成する一方，取付部材に上方から当接される第２部材に上下方向に伸びるスライド孔と第１部材に噛合される上下方向に伸びる多数の歯部を形成しておき，上記つかみ片部をスライド孔に貫通させた後ひねり操作することにより，所望高さ位置で歯部が第１部材に噛合された状態を保持するようにしたものが開示されている。この特許文献２に記載のものでは，取付ねじの機能を第１部材に一体形成したつかみ片部で得るようにして，実質的に第１部材と第２部材との２つの部材のみを用いればよいという点において，特許文献１のものに比してコスト的には有利となる。しかしながら，歯部を所望高さ位置でもって第１部材に噛合させるという調整手法によって天井の厚さの相違に対応するため，施工性の改善という点ではいまだ十分に満足のいかないものとなる。また，歯部のピッチ間の間隔という段階式の高さ調整とならざるを得ないものとなる。
【０００５】
特許文献３には，一端部を天井点検口の外枠に固定した線材の他端部側を，天井の裏面側に配設された取付部材に対して巻回するようにしたものが開示されている。この特許文献３に記載のものは，線材という１つの部材を用いるだけでよいという点では，コスト的には極めて有利となる。しかしながら，取付部材への線材の巻回強さがまちまちとなり易く，またそのゆるみ止めを行うことが不十分であったりすることが多く，いずれにしても，作業者の感に頼った固定とならざるを得ないものとなる。このことは，吊持位置毎に，吊持の態様（吊持力やゆるみ止め）が大きく相違することにつながり，実際の施工では到底採用しがたいものとなる。これに加えて，特許文献３のものでは，しっかりとした吊持を行おうとすれば，線材として大径のものを用いる必要があるが，その分線材を取付部材に巻回する作業が大変になるという問題をも生じることになる。また，線材の取付部材への固定をしっかりと行うために，線材を取付部材に対して複数回に渡って巻回する必要も生じ，施工性という点でも必ずしも満足のいかないものとなる。
【特許文献１】特開平１１−０９３３９４号公報
【特許文献２】特開２００１−２２７０９８号公報
【特許文献３】実開昭５８−００２２５４号公報
【発明の開示】
【発明が解決しようとする課題】
【０００６】
本発明は以上のような事情を勘案してなされたもので、その目的は、安価でかつ施工性に優れ，しかも天井の厚さの相違に無段階に対応できるようにした吊り金具を提供することにある。
【課題を解決するための手段】
【０００７】
前記目的を達成するため、本発明にあっては次のような解決手法を採択してある。すなわち、特許請求の範囲における請求項１に記載のように、
物品を，天井裏面側に配設された取付部材から吊持させて天井に固定するための吊り金具において，
全体的に弾性部材による一体物として構成されて，その長手方向略中間部において折曲された第１折曲部を境として，ほぼ縦方向に伸びる一方側脚部とほぼ横方向に伸びる他方側脚部とに画成されており，
前記一方側脚部の先端部に，前記物品に形成されている溝部に係合されるフック部が形成されており，
前記他方側脚部の先端部に，前記取付部材の上面に当接される当接部が形成されている，
ようにしてある。
【０００８】
上記解決手法によれば，吊り金具そのものは，全体的に弾性部材によって構成された１つの部材のみでよいので，コスト的に極めて安価に提供できる。施工に際しては，当接部を取付部材の上面に当接させた状態で，天井の厚さに応じて第１折曲部の折曲角度を変更するようにしてフック部側を下方に引っ張りつつ，このフック部を物品の溝部に係合させるだけでよく，施工性も極めて優れたものとなる。また，取付完了後においては，第１折曲部を境として一方側脚部と他方側脚部との間の弾性力によって，物品を常に上方へ引き寄せる（物品を天井下面に押しつける）作用を得ることができ，がたつき等も生じないものとなる。勿論，第１折曲部の曲げ度合いは無段階に調整可能なので，天井の厚さの相違に対して無段階に対応できることにもなる。
【０００９】
上記解決手法を前提とした好ましい態様は、特許請求の範囲における請求項２以下に記載のとおりである。すなわち，
前記一方側脚部の先端部に，左右幅が該一方側脚部の左右幅よりも大きくされて，前記物品のうち前記溝部近傍にある所定平坦面に対して着座される着座面部が形成され，
前記フック部が，前記着座面部の左右上端部から上方に向けて突出形成されて，前記一方側脚部を挟むように左右一対形成されている，
ようにすることができる（請求項２対応）。この場合、着座面部が物品の所定平坦面に着座されることにより，フック部の溝部に対する係合状態を安定して維持させることができる。また，フック部は，一方側脚部を挟むように左右一対設けられているので，物品をしっかりとかつ安定して吊持することができる。
【００１０】
前記一方側脚部には，前記第１折曲部よりも小さい曲げ角度でもって該第１折曲部と同一方向に折曲された第２折曲部が形成されている，ようにすることができる（請求項３対応）。この場合、第１折曲部での折曲角度の変更と合わせて，第２折曲部の折曲角度の変更により，天井の厚さの相違により十分に対応することができる。
【００１１】
前記一方側脚部の側縁部に，前記第１折曲部の付近でかつ前記他方側脚部の伸びる方向に向けて伸びて，前記当接部が前記取付部材の上面に当接した状態で該第１折曲部が該取付部材に対して相対的に下方へ大きく変位されたときに該取付部材に対して上方から当接される落下防止辺部が形成されている，ようにすることができる（請求項４対応）。この場合、物品に不用意に下方への大きな外力が作用したときに，落下防止辺部が取付部材に上方から当接して，それ以上の物品の下方への変位を規制することになり，物品の不用意な落下防止の上で好ましいものとなる。
【００１２】
前記落下防止辺部の下縁部には，前記取付部材における上方へ伸びる縦壁部に対して係合可能とされて，該縦壁部の厚さよりも大きい開口幅とされた係合用切欠部が形成されている，ようにすることができる（請求項５対応）。この場合、落下防止辺部が取付部材に上方から当接するとき，係合用切欠部が取付部材の縦壁部に係合されて，落下防止辺部が取付部材から滑って落下してしまう事態を確実に防止して，物品の不用意な落下をより確実に防止する上で好ましいものとなる。
【００１３】
前記一方側脚部の先端部には，前記フック部よりも低い位置において，ほぼ横方向に伸びて手指が引っ掛けられる引っ張り片部が形成されている，ようにすることができる（請求項６対応）。この場合、フック部を下方へ変位させて溝部に係合させる際に，引っ張り片部に手指を引っ掛けて下方へ引っ張り操作することができ，施工性向上の上でより一層好ましいものとなる。
【００１４】
前記他方側脚部の先端部に，ほぼ下方に向けて折曲させることによる第１延長部と，該第１延長部の先端部をほぼ前記一方側脚部側に向かうように折曲さることによる第２延長部とが形成され，
前記第１延長部と第２延長部との境界部位となる折曲部分が，線状に伸びるように設定された前記当接部とされている，
ようにすることができる（請求項７対応）。この場合、当接部を線接触という広い面積での当接態様としつつ，当接部付近の剛性を向上させることができる。
【００１５】
前記一方側脚部と他方側脚部とが前記第１折曲部においてなす角度が鋭角とされて，該他方側脚部が該第１折曲部から離れるにしたがって徐々に下方に向かうように傾斜されている，ようにすることができる（請求項８対応）。この場合、当接部の取付部材に対する当接高さ位置を一定とした場合に，天井の厚さが厚くなるほどフック部が下方に位置されて，第１折曲部における一方側脚部と他方側脚部とのなす角度の変更度合いがより大きくなって，フック部を下方へ引張する際の弾性抵抗力が大きくなる。しかしながら，フック部が下方に位置されるほど，他方側脚部の傾斜度合いが弱くされて水平状態に近づくことになり，当接部を中心としてフック部を下方に引張するときのモーメント長が大きくなるので，天井の厚さの相違にかかわらずフック部を下方に引張する力をほぼ一定に維持することが可能となる。
【発明の効果】
【００１６】
本発明によれば，安価でかつ施工性の優れ，しかも天井の厚さの相違に無段階に対応できる吊り金具を提供することができる。
【発明を実施するための最良の形態】
【００１７】
図１は，天井点検口付近をその上方から見たもので，物品としての天井点検口Ｔの外枠が符合１で示され，その内蓋が符合２で示される。天井点検口Ｔの周囲には，天井（天井部材）の裏面側（上方）において，野縁材３が配設され，この野縁材３の上面に，天井点検口Ｔ用の取付部材４が固定されている。天井点検口Ｔ（の外枠１）は実施形態では方形とされて，外枠１の相対向する２辺に沿って取付部材４が配設されている。そして，天井点検口Ｔは，取付部材４を利用して，合計４個の吊り金具１０によって吊持されている（各取付部材４についてはそれぞれ２個の吊り金具１０が用いられている）。このように，実施形態では，吊り金具Ｔによって直接吊持される部材が外枠１とされ，この外枠１を介して天井点検口Ｔが全体的に吊持されるものとなっている。
【００１８】
前記取付部材４は，図５，図６に示すように例えば断面コ字状とされて，略水平に伸びる底壁部４ａと，底壁部４ａの幅方向端部からそれぞれ上方へ伸びる左右一対の縦壁部４ｂとを有するチャンネル材によって構成されている。また，外枠１は，その各辺の断面形状が図５，図６に示すように形成されており，天井５に形成された取付孔５ａ（図１，図６参照）内に下方から挿入されるようになっている。このような外枠１は，その下端部に，天井（天井材）５の下面（取付孔５ａの周縁部）に下方から当接される外フランジ部１ａをその全周に渡って有する。また，外枠１の上端部には，その内側面側（内蓋２が配置される側）において，下方に向けて開口された溝部１ｂが形成されている。
【００１９】
図２〜図６を参照しつつ，吊り金具１０の詳細について説明する。まず，吊り金具１０は，全体的に１枚の金属板を加工することによって形成されている。使用する金属板としては，ある程度の弾性を有するものであれば適宜のものを用いることができ，例えば鉄系の金属板（ばね鋼板やステンレス鋼板）や軽合金の板材（例えばアルミニウム合金の板材）等を用いることができるが，コスト，強度，弾性等を考慮して，鉄系金属板，特にばね鋼板に防錆処理（耐食性向上や外観上の見栄え向上）したものを用いるのが好ましい。吊り金具１０を構成する金属板の厚さや幅は，吊持する物品の重量に応じて選択される。
【００２０】
吊り金具１０は，その略中間部に第１折曲部α１が形成され，第１折曲部α１を境として，一方側脚部１１と他方側脚部１２とが画成される。第１折曲部α１の折曲角度，つまり一方側脚部１１と他方側脚部１２とのなす角度θ１（図３参照）は，ほぼ直角に近い角度とされて，実施形態では９０度よりも若干小さく角度となる鋭角となるように設定されている。すなわち，第１折曲部α１の折曲角度は，一方側脚部１１がほぼ上下方向に伸びた状態で，他方側脚部１２がほぼ横方向より具体的には外枠１のほぼ外方側（内蓋２が位置する側とは反対側）に伸びるような設定であればよいが，後述するように，他方側脚部１２は，第１折曲部α１から離れるにしたがって徐々に下方に向かうように傾斜させておくのが好ましい。
【００２１】
一方側脚部１１の先端部側には，着座面部１３が形成されている。この着座面部１３は，一方側脚部１１よりも幅広とされて，一方側脚部１１の幅方向各側に突出されている。着座面部１３の左右上端部からは，それぞれ，フック部１４が突出形成されている。すなわち，フック部１４は，上方に向けて伸びる基部１４ａと，基部１４ａの上端から外枠１の内側面側に向けて伸びる横部１４ｂと，横部１４ｂの先端から上方に向けて伸びる先端部１４ｃとから構成されて，各部分１４ａ，１４ｂ，１４ｃはそれぞれ短いものとされている。このようなフック部１４は，一方側脚部１１を挟むようにして左右一対形成されている。
【００２２】
上記フック部１４は，外枠１の溝部１ｂに対して下方から係合されるもので，係合時には，フック部１４が溝部１ｂ内にほぼがたつきなく係合（嵌合）されると共に，この状態で，着座面部１３がその広い面積範囲全体に渡って外枠１の内側面となる所定平坦面にほぼ密着される。より具体的には，基部１４ａは着座面部１３と同一平面上に形成されており，横部１４ｂの長さが，溝部１ｂの幅とほぼ同一に形成されており，これにより，フック部１４を溝部１ｂ内に係合させたときに，着座面部１３が外枠１の内側面に対して広い面積でもってほぼ密着されるような状態でもって対面されることになる。なお，実施形態では，フック部１４の先端部１４ｃの高さが，溝部１ｂの深さ以上の大きさに形成されていて，フック部１４を溝部１ｂに係合させたときに，先端部１４ｃの上端が，溝部１ｂの底面に当接されるようになっている。
【００２３】
着座面部１３の下端部を折曲することにより，外枠１の内側面側に向かって短く伸びる引っ張り片部１３ａが形成されている。この引っ張り片部１３ａは，後述するように，作業者が手指を引っ掛けて，吊り金具Ｔを下方に引張する際に用いられる。
【００２４】
着座面部１３と一方側脚部１１とに渡って（跨って），ビード部（膨出部）１５が形成されている。実施形態では，このビード部１５は，一方側脚部１１の軸線方向に沿って伸びていて，外枠１の内側面側に突出するように膨出されている。このビード部１５は，一方側脚部１１および着座面部１３の幅方向略中心部に１つのみ形成されているが，左右方向（幅方向）に複数形成することもできる。このようなビード部１５の形成によって，一方側脚部１１が曲げ等の外力を受けて変形してようとしても，これに伴って着座面部１３が変形してしまう事態が強固に規制されることになる（フック部１４の向き変更防止や，着座面部１３の外枠１の内側面へのぴったりとした着座状態の確保）。
【００２５】
上記ビード部１５は，一方側脚部１１においては，着座面部１３付近にのみ形成されていて，ビード部１５の上端と第１折曲部α１とはかなり離間した位置関係にある。そして，一方側脚部１１には，ビード部１５付近において，第２折曲部α２部分でわずかに折曲されている。すなわち，第２折曲部α２は，第１折曲部α１と同一方向に折曲されているが，その折曲角度は第１折曲部α１での折曲角度よりも十分に小さいものとなっている（実施形態では１８０度よりも若干小さい鈍角での折曲）。この第２折曲部α２の形成により，後述するように，天井５の厚さの相違に対してより広く（十分に）対応可能となる。
【００２６】
一方側脚部１１には，第１折曲部α１付近において，左右一対の落下防止辺部１６が形成されている。この落下防止辺部１６は，一方側脚部１１の左右側縁から突出形成されて，ほぼ他方側脚部１２と同一方向に伸びている。この落下防止辺部１６は，上下方向の強度（剛性）が十分大きくなるように，上下方向の幅が比較的大きく形成されている。各落下防止辺部１６の下縁部には，係合用切欠部１６ａが形成されている。この係合用切欠部１６ａの開口幅は，下方に向かうにつれて徐々に大きくなるように形成されると共に，前述した取付部材４の縦壁部４ｂの厚さよりも十分に大きくなるように設定されている。すなわち，取付部材４の上方に位置された落下防止辺部１６が下方へ変位したときに，落下防止辺部１６が横方向に多少位置ずれを生じたとしても，係合用切欠部１６ａが取付部材４の縦壁部４ｂに確実に係合されるような開口幅に設定されている。
【００２７】
前記他方側脚部１２の先端部側には，当接部１７が形成されている。すなわち，他方側脚部１２の先端部が一旦ほぼ下方に向かうように折曲された後（この折曲部を第３折曲部として符合α３で示す），さらにほぼ外枠１の内側面側に向かうように折曲されて（この折曲部を第４折曲部として符合α４で示す），第３折曲部α３と第４折曲部α４との間が第１延長部１８とされ，第４折曲部α４から先端部が第２延長部１９とされている。そして，第１延長部１８と第２延長部１９との境界部位となる第４折曲部α４部分が，当接部１７とされている。このような当接部１７は，他方側脚部１２の幅方向に直線状に伸びるものとされる。
【００２８】
次に以上のように構成された吊り金具１０の使用方法について説明する。まず，図８に示すように，外枠１を天井５の取付孔５ａ内に下方から挿入して，その外フランジ部１ａを天井５の下面に当接した取付位置とする。次いで，図９に示すように，吊り金具１０の当接部１７を取付部材４の上面に当接させて，一方側脚部１１がほぼ上下方向に伸びる状態とする。図９の状態から，引っ張り片部１３ａに手指を引っ掛けて吊り金具Ｔを下方に引張して，フック部１４の上端が溝部１ｂの下方に位置するようにする。この後，引っ張り片部１３を持ったまま着座面部１３を外枠１の内側面に着座させつつ若干上方へスライド変位させると，フック部１４が溝部１ｂに係合された図６に示す取付完了状態となる。必要個数の吊り金具１０について，上記と同様なことが行われることになる。
【００２９】
図９の状態から図６の取付完了状態へは，極めて容易かつすみやかに行うことができ，施工性が大幅に改善（向上）されることになる。とりわけ，施工時間が短くてすむことから，外枠１に内蓋２を取付けたままでも作業者の負担は小さくてすみ（吊り金具１０による吊持が終了するまで，作業者は，天井点検口Ｔを取付位置でもって支承している），内蓋２を取付けたまま外枠１の吊持を行うことによってより一層の施工性改善となる。なお，ビード部１５による補強作用によって，折曲部α１，α２の折曲角度を変更させる外力を受けても，着座面部１３が変形してしまう事態が防止され（内蓋２を開閉させる際の干渉防止にもなる），フック部１４の向き（姿勢）が変更されてしまう等の事態が確実に防止されることになる。
【００３０】
取付完了状態を示す図６の例では，天井５の厚さの関係から第２折曲部α２がほぼ伸びきってまっすぐな状態となっている。この取付完了状態において，第１折曲部α１および第２折曲部α２は，元の折曲角度に戻ろうとする弾性復元力が作用して，外枠１の外フランジ部１ａが，天井５の下面に押しつけられた状態となり，がたつきのない吊持（固定）が得られる。なお，他方側脚部１２の長さ（特に第１折曲部α１と第３折曲部α３との間の長さ）を十分長く確保することにより，天井５の厚さの大きな相違に柔軟に対応できる。
【００３１】
図６の状態から，天井点検口Ｔに下方への大きな外力が作用した場合を考える。この大きな下方への外力を受けて，天井点検口Ｔは下方へと変位されようとするが，天井点検口Ｔが若干下方へ変位したときに，落下防止辺部１６が取付部材４の縦壁部４ｂに上方から当接して，それ以上天井点検口Ｔが下方へ変位するのが規制されることになる。このとき，係合用切欠部１６ａが取付部材４の縦壁部４ｂの上端に係合（嵌合）されて，落下防止辺部１６が取付部材４（の縦壁部４ｂ）に対して横方向に滑って係合解除されてしまうような事態が確実に防止されることになる。
【００３２】
ここで，吊り金具Ｔによる取付完了状態において，図６は天井５の厚さが大きい（厚い）場合を示し，図１０は天井５の厚さが小さい（薄い）場合を示す。図１０に示す天井５の厚さが小さい場合は，第２折曲部α２の折曲角度はほぼ使用前の状態のままで，第１折曲部α１の折曲角度θ１のみが若干大きくなるように弾性変形することよって対応される。これに対して，図６に示す天井５の厚さが大きいときは，第１折曲部α１の折曲角度θ１が使用前の状態よりもかなり大きくなるように弾性変形され，また第２折曲部α２は一方側脚部１１がほぼ一直線状となるまでその折曲角度が大きくなるように弾性変形される。
【００３３】
図９の状態から引っ張り片部１３ａを下方へ引張して図６の取付完了状態とする際に，天井５の厚さが小さいほど，反力の作用点としての当接部１７（第４折曲部α４）とモーメント中心となる第２折曲部α２との間のモーメント距離が小さくなるが，折曲部α１，α２での弾性復元力（弾性抵抗力）は小さくなる。逆に，天井５の厚さが大きくなるほど，折曲部α１，α２での弾性復元力（弾性抵抗力）が大きくなるが，上記モーメント距離が大きくなる。したがって，図９の状態で，引っ張り片部１３ａを下方へ引張するのに必要な力は，天井５の厚さの相違にかかわらずほぼ一定とされる。
【００３４】
以上実施形態について説明したが、本発明は、実施形態に限定されるものではなく、特許請求の範囲の記載された範囲において適宜の変更が可能であり、例えば次のような場合をも含むものである。当接部１７は，他方側脚部１２の先端部そのものによって構成するようにしてもよい（各延長部１８，１９を形成しないようにしてもよい）。第２折曲部α２を形成することなく，一方側脚部１１を直線状に形成してもよい。フック部１４の数は１つあるいは３以上適宜の数とすることができ，また着座面部１３の一部を切り起こしによってフック部１４を形成するようにしてもよい。吊持される物品としては，天井点検口Ｔに限らず，例えば照明器具，換気扇，空調装置等，天井に取付けられるものであれば適宜のものとすることができる。吊り金具１０を１枚の金属板で構成する場合，例えば，一方側脚部１１の長手方向中間部分で２つに分けた２枚の金属板であらかじめ所定形状に形成した後，２枚の金属板同士を溶接等により一体化したものであってもよい。金属板に限らず，弾性を有する部材であれば，例えば合成樹脂板（繊維強化されたものを含む）等で形成することもできる。勿論、本発明の目的は、明記されたものに限らず、実質的に好ましいあるいは利点として表現されたものを提供することをも暗黙的に含むものである。
【図面の簡単な説明】
【００３５】
【図１】本発明による吊り金具で支承された天井点検口をその上方から見た図。
【図２】吊り金具の一例を示す斜視図。
【図３】図２に示す吊り金具の側面図。
【図４】図３の右側面図。
【図５】天井点検口の外枠が吊り金具によって取付部材に吊持された取付完了状態を示す要部斜視図。
【図６】図５の取付完了状態を，取付部材の長手方向から見たときの一部断面側面図。
【図７】図６の状態から天井点検口に下方への大きな外力が作用したときの状態を示すもので，図６に対応した要部断面側面図。
【図８】本発明による吊り金具の使用方法を説明するもので，天井点検口の外枠を天井の取付孔に下方から挿入した状態を示す断面側面図。
【図９】図８の状態から，吊り金具の当接部を取付部材の上面に当接させた状態を示すもので，取付途中での状態を示す。
【図１０】天井の厚さが小さいときの取付完了状態を示すもので，図６に対応した断面側面図。
【符号の説明】
【００３６】
１：外枠
１ａ：外フランジ部
１ｂ：溝部
２：内蓋
４：取付部材
４ｂ：縦壁部
５：天井
５ａ：天井の取付孔
１０：吊り金具
１１：一方側脚部
１２：他方側脚部
１３：着座面部
１３ａ：引っ張り片部
１４：フック部
１５：ビード部
１６：落下防止辺部
１６ａ：係合用切欠部
１７：当接部
１８：第１延長部
１９：第２延長部
Ｔ：天井点検口
α１：第１折曲部
α２：第２折曲部
α３：第３折曲部
α４：第４折曲部
θ１：一方側脚部と他方側脚部とのなす角度
【図１】
2006283315.tif 000003
【図２】
2006283315.tif 000004
【図３】
2006283315.tif 000005
【図４】
2006283315.tif 000006
【図５】
2006283315.tif 000007
【図６】
2006283315.tif 000008
【図７】
2006283315.tif 000009
【図８】
2006283315.tif 000010
【図９】
2006283315.tif 000011
【図１０】
2006283315.tif 000012